(57)【要約】【課題】各種電子機器の入力操作部に使用される押圧回転操作ユニットに関し、セットノブを回転させても電子機器の動作状態を変えることなく、そのセットノブに表示された意匠を正立位置に正すことができる品位の優れたものを提供することを目的とする。【解決手段】電子機器の電源がオン状態で、プッシュモーメンタリースイッチのオフ状態からオン状態への変化が検出され、その状態のままでセットノブ５４が回転操作されてインクリメンタルエンコーダのパルス信号が検出された場合には、機器の音量レベルや電源オンの状態を変化させない動作フローのものとしたため、セットノブに表示された意匠を正立位置に正すことができて品位の優れたものにできる。【選択図】図１
2008016309.tif 000002
【特許請求の範囲】
【請求項１】
操作軸部を押圧および回転操作できるプッシュモーメンタリースイッチ付きのインクリメンタルエンコーダと、上記エンコーダの操作軸部に固定され、方向性のある意匠が表示されたセットノブとを有し、そのセットノブへの操作で上記スイッチ付きのエンコーダを動作させて所定機能を作動できる押圧回転操作ユニットであって、上記セットノブを所望量回転させ、上記所定機能を作動させている状態において、上記セットノブを押圧して上記プッシュモーメンタリースイッチのオン状態を維持しつつ上記セットノブを回転させて上記意匠を正立状態とする際、上記所定機能の作動状態が維持されて変化しないように制御されていることを特徴とする押圧回転操作ユニット。
【発明の詳細な説明】
【技術分野】
【０００１】
本発明は、各種電子機器の入力操作部を構成する押圧回転操作ユニットに関するものである。
【背景技術】
【０００２】
各種電子機器の入力操作部の形態は多々あるが、特にカーオーディオ機器などでは、一つの操作軸の端部にセットノブが取り付けられ、そのセットノブへの回転操作により音量調整を行い、また押圧操作により電源のオン・オフを行う押圧回転操作ユニットを用いたものが増えている。
【０００３】
以下、従来の押圧回転操作ユニットについて、図７〜図９を用いて説明する。
【０００４】
図７は従来の押圧回転操作ユニットが組み込まれたカーオーディオ機器のコントロールパネルを示す外観図、図８は同セットノブの正面図、図９は同セットノブを回転操作した状態の正面図である。
【０００５】
図７に示したように、カーオーディオ機器のコントロールパネル５１には、押圧回転操作ユニット５２が組み込まれており、その押圧回転操作ユニット５２のプッシュモーメンタリースイッチ付きインクリメンタルエンコーダ（図示せず）の操作軸にはセットノブ５４が取り付けられ、その前端部分は操作可能なようにコントロールパネル５１から突出している。なお、５３は各種情報表示用のディスプレーパネルである。
【０００６】
そして、このセットノブ５４の正面には、図８などにも示すように、その機能を明示する方向性のある意匠５５が表示されている。
【０００７】
ここで、上記押圧回転操作ユニット５２としては、オーディオ機器への電源供給を直接制御すると共に、再生されるオーディオ信号の音量レベルを調整するために、プッシュモーメンタリースイッチ付きインクリメンタルエンコーダを用いて、その信号をマイクロプロセッサー制御システムに関連付けた構成のものとしている。
【０００８】
つまり、インクリメンタルエンコーダは、２つの方形波パルス信号を発生し、その信号情報によりマイクロプロセッサーが音量レベルを調整するものとしている。その調整方法の概要は、２つの方形波パルス信号の相対位相差によって操作軸の回転方向が特定され、パルス信号の発生数により音量レベルの増減がなされるものとなっている。
【０００９】
また、電源オン・オフ機能をマイクロプロセッサーで制御するために、マイクロプロセッサーへ送信するオン・オフ信号を生成するプッシュモーメンタリースイッチは、上記インクリメンタルエンコーダの操作軸をその軸方向に押圧・解除することにより、スイッチ機能がオン・オフ信号を生成するものとなっており、操作軸を押圧すると、オフからオン状態に切り替わり、押圧を解除すると操作軸が元の位置に自己復帰すると共に、オンからオフ状態に切り替わるもので、操作軸を押圧していない通常状態では、オフ状態が維持される仕様のものであった。
【００１０】
従って、カーオーディオ機器を使用する際は、まず操作軸に組み合わされたセットノブ５４を一度押圧・解除して、その際に生成されたオン・オフ信号により電源をオン状態つまりカーオーディオ機器の電源をオンにし、次にセットノブ５４を回転操作して、利用者の好みの音量レベルに増減調整するものであった。
【００１１】
なお、この出願の発明に関連する先行技術文献情報としては、例えば、特許文献１が知られている。
【特許文献１】特開２０００−１８４４７９号公報
【発明の開示】
【発明が解決しようとする課題】
【００１２】
しかしながら、上記従来の押圧回転操作ユニットにおいては、インクリメンタルエンコーダの操作軸を回転操作して音量レベルを調整するため、その調整後は図９に示すように、セットノブ５４に表示された方向性のある意匠５５が必ずしも正立状態にならずに傾いた状態の表示となるため、利用者に不安定感を与えて品位の劣った感じとなり、意匠が正立状態にできる押圧回転操作ユニットへの改善要望があった。
【００１３】
本発明は、このような従来の課題を解決するものであり、作動している音量レベルや電源オンの状態を変化させることなく、セットノブを回転操作して、そのセットノブに表示された方向性のある意匠を正立する位置に正すことができる品位の優れた押圧回転操作ユニットを提供することを目的とする。
【課題を解決するための手段】
【００１４】
上記目的を達成するために本発明は、以下の構成を有するものである。
【００１５】
本発明の請求項１に記載の発明は、操作軸部を押圧および回転操作できるプッシュモーメンタリースイッチ付きのインクリメンタルエンコーダと、上記エンコーダの操作軸部に固定され、方向性のある意匠が表示されたセットノブとを有し、そのセットノブへの操作で上記スイッチ付きのエンコーダを動作させて所定機能を作動できる押圧回転操作ユニットであって、上記セットノブを所望量回転させ、上記所定機能を作動させている状態において、上記セットノブを押圧して上記プッシュモーメンタリースイッチのオン状態を維持しつつ上記セットノブを回転させて上記意匠を正立状態とする際、上記所定機能の作動状態が維持されて変化しないように制御されていることを特徴とする押圧回転操作ユニットとしたものであり、インクリメンタルエンコーダの操作軸を回転操作して音量レベルなどの調整をした後に、その音量レベルや電源オンの状態を維持しながら、セットノブに表示された方向性のある意匠を正立する位置に回転修正することができる押圧回転操作ユニットが実現でき、用いられる電子機器の品位向上に寄与することができるという作用を有する。
【発明の効果】
【００１６】
以上のように本発明によれば、インクリメンタルエンコーダの操作軸を回転操作して音量レベルなどの調整をして、セットノブに表示された方向性のある意匠が非正立状態となった際に、その音量レベルや電源オンなどの作動状態を変化させることなくセットノブを回転させて、上記意匠を正立する位置に回転修正することができる押圧回転操作ユニットが実現でき、電子機器の品位向上に寄与することができるという有利な効果が得られる。
【発明を実施するための最良の形態】
【００１７】
以下、本発明の実施の形態について、図１〜図６を用いて説明する。その事例としては従来同様にカーオーディオ機器に搭載されているものとしている。なお、従来と同一構成部分には、同一符号を付して詳細な説明は省略する。
【００１８】
（実施の形態）
図１は本発明の一実施の形態による押圧回転操作ユニットが組み込まれたカーオーディオ機器の動作フローチャート、図２および図３は同押圧回転操作ユニットのプッシュモーメンタリースイッチの動作状態を示す信号図、図４は同音量レベルを調整する場合を示す信号図、図５は同音量レベルや電源オンの状態を維持して回転操作する状態を示す信号図、図６は同押圧回転操作ユニットのセットノブの正面図である。
【００１９】
図２〜図５の図中において、上段の「ＳＷ」表示部分は、プッシュモーメンタリースイッチのオン・オフ状態を表し、中段の「ＥＮＣ−Ａ」と下段の「ＥＮＣ−Ｂ」表示部分は、インクリメンタルエンコーダの２つの方形波パルス信号の発生有無およびその状態を表している。
【００２０】
なお、本発明による押圧回転操作ユニットは、従来同様に、プッシュモーメンタリースイッチ付きのインクリメンタルエンコーダの操作軸部に、方向性のある意匠５５が表示されたセットノブ５４が固定され、搭載された機器のコントロールパネルから突出したセットノブ５４部分を操作する形態のものである。
【００２１】
そして、本発明による押圧回転操作ユニットは、動作状態に特徴点を有するものであるため、その動作状態について以下に詳細説明をする。
【００２２】
図１において、まず、カーオーディオ機器はステップ１で電源がオフ状態にある。
【００２３】
そして、ステップ２において、マイクロプロセッサー（それは上記電源オフ状態の間も作動する）がプッシュモーメンタリースイッチの作動を監視しており、プッシュモーメンタリースイッチがオン信号を送っていない場合には、ステップ２が繰り返される。
【００２４】
同ステップ２において、押圧回転操作ユニットのセットノブ５４を操作軸の軸方向に押圧することにより、図２に破線で囲んで示すように、プッシュモーメンタリースイッチが機能し、上記のオフ状態からオン状態への変化をマイクロプロセッサーが検出した場合には、ステップ３に移行して、カーオーディオ機器の電源がオン状態になる。
【００２５】
次に、ステップ４において、マイクロプロセッサーがインクリメンタルエンコーダの作動を監視する。
【００２６】
ここで、押圧回転操作ユニットのセットノブ５４が回転操作されると、図４に示すように、インクリメンタルエンコーダからパルス信号が発生され、そのパルス信号が検出された場合には、ステップ５に移行して、カーオーディオ機器の音量レベルが２つのパルス信号の発生数に応じて変更された後、ステップ４に戻される。
【００２７】
一方、ステップ４において、インクリメンタルエンコーダが時間的に変化するパルス信号を送っていない場合には、ステップ６に移行して、マイクロプロセッサーがプッシュモーメンタリースイッチの作動を監視する状態へ切り替わる。
【００２８】
このステップ６において、プッシュモーメンタリースイッチが信号を送っていない場合には、ステップ４に戻される。
【００２９】
そして、ステップ６において、押圧回転操作ユニットのセットノブ５４が操作軸の軸方向に押圧されて、プッシュモーメンタリースイッチのオフ状態からオン状態への変化が検出された場合には、ステップ７に移行して、マイクロプロセッサーが今度はインクリメンタルエンコーダの作動を監視する状態へ切り替わる。
【００３０】
そして、上記ステップ７における動作判別は、プッシュモーメンタリースイッチのオン状態が続いている中で行われ、その中でインクリメンタルエンコーダがパルス信号を発生していない場合には、ステップ８に移行して、マイクロプロセッサーがプッシュモーメンタリースイッチの信号を監視する状態へ切り替わり、プッシュモーメンタリースイッチのオン状態からオフ状態への変化が検出されない場合には、ステップ７に戻される。
【００３１】
そのステップ７において、セットノブ５４を操作軸の軸方向に押圧した状態が維持されつつセットノブ５４が回転操作されてマイクロプロセッサーがインクリメンタルエンコーダのパルス信号を検出した場合には、ステップ９に移行してマイクロプロセッサーがプッシュモーメンタリースイッチのオン状態からオフ状態に変化する信号を監視する状態へ切り替わる。そして、ステップ９において、プッシュモーメンタリースイッチのオン状態からオフ状態に変化する信号が検出されない場合には、ステップ９が繰り返されるようにしている。
【００３２】
上記操作時の信号状態を示したのが図５である。ここで、当該押圧回転操作ユニットとしては、上記のようにステップ７でマイクロプロセッサーがインクリメンタルエンコーダのパルス信号を検出した際には、それまでの機器の作動状態を変えずに維持し続けるものとしている。また、その制御状態としても、ステップ９で、セットノブ５４に操作軸の軸方向に加えていた力を取り除いて、図５に破線で囲んで示すプッシュモーメンタリースイッチのオン状態からオフ状態に変化する信号がマイクロプロセッサーに送られるまで継続されるものとしている。
【００３３】
一方、上記ステップ９において、セットノブ５４に操作軸の軸方向に加えていた力が除かれて、プッシュモーメンタリースイッチのオン状態からオフ状態に変化する信号がマイクロプロセッサーに送られるとステップ４に戻される。
【００３４】
そして、上述したステップ８において、押圧回転操作ユニットのセットノブ５４への操作軸の軸方向に加えていた力が解除され、マイクロプロセッサーでプッシュモーメンタリースイッチのオン状態からオフ状態に変化する信号が検出されると、それに応じてカーオーディオ機器の電源がオフ状態となってステップ１まで戻される。そのときの信号状態を示すのが図３であって、上記に用いたプッシュモーメンタリースイッチのオン状態からオフ状態の信号部分は同図に破線で囲んで示す部分である。
【００３５】
以上のように、本実施の形態による押圧回転操作ユニットは、図１のステップ６からステップ９を抜けるまでの流れの中では、それまでの機器の作動状態を変えずに維持し続ける制御状態としているため、セットノブ５４を押圧操作した状態を維持しながら回転操作した後、その押圧操作を解除してもカーオーディオ機器の音量レベルや電源オンの状態を変化させることなくセットノブ５４の回転が任意にできるものとなる。
【００３６】
つまり、セットノブ５４に表示された方向性のある意匠５５を、図６に示すように正立する方向に回転修正することが可能となるものにでき、セットの品位向上に大きく寄与できるものである。
【産業上の利用可能性】
【００３７】
本発明による押圧回転操作ユニットは、インクリメンタルエンコーダを回転操作して音量レベルなどの調整をした後に、その音量レベルや電源オンなどの状態を変化させることなく、セットノブに表示された方向性のある意匠を正立する方向に回転修正することができるものとして実現することができ、各種電子機器の入力操作部を構成する際等に有用である。
【図面の簡単な説明】
【００３８】
【図１】本発明の一実施の形態による押圧回転操作ユニットが組み込まれたカーオーディオ機器の動作フローチャート
【図２】同押圧回転操作ユニットのプッシュモーメンタリースイッチの動作状態を示す信号図
【図３】同押圧回転操作ユニットのプッシュモーメンタリースイッチの動作状態を示す信号図
【図４】同音量レベルを調整する場合を示す信号図
【図５】同音量レベルや電源オンの状態を維持して回転操作する状態を示す信号図
【図６】同押圧回転操作ユニットのセットノブの正面図
【図７】従来の押圧回転操作ユニットが組み込まれたカーオーディオ機器のコントロールパネルを示す外観図
【図８】同セットノブの正面図
【図９】同セットノブを回転操作した状態の正面図
【符号の説明】
【００３９】
５４  セットノブ
５５  意匠
【図１】
2008016309.tif 000003
【図２】
2008016309.tif 000004
【図３】
2008016309.tif 000005
【図４】
2008016309.tif 000006
【図５】
2008016309.tif 000007
【図６】
2008016309.tif 000008
【図７】
2008016309.tif 000009
【図８】
2008016309.tif 000010
【図９】
2008016309.tif 000011